(57)【要約】【課題】正確に補助情報を得ることができる光ディスク記録再生装置及び光ディスク記録再生方法を提供する。【解決手段】グルーブトラックＧとランドトラックＬが交互にウォブルされて形成され、グルーブトラックＧ或いはランドトラックＬの側壁に補助情報がアドレスウォブルＷ2として形成された光ディスクの記録再生装置１において、記録再生光により走査されるトラックは、グルーブトラックＧとするとき、ランドトラックＬの記録状態の情報に基づいて、グルーブトラックＧ側壁のアドレスウォブルＷ2から求められたアドレスウォブル信号の振幅の中央位置になるように閾値を求める閾値設定部７と、この閾値に基づいて、アドレスウォブル信号の２値化を行う２値化部８と、この２値化されたアドレスウォブル信号から補助情報を再生するアドレス情報再生部９と、を備えている。【選択図】      図１
2008010091.tif 000002
【特許請求の範囲】
【請求項１】
グルーブトラックとランドトラックが交互に形成され、前記グルーブトラック及び前記ランドトラックの両方に情報の記録又は、記録された情報の再生が可能で、かつ前記グルーブトラック或いは前記ランドトラックの側壁がウォブルされ、このウォブルの一部が補助情報を示すアドレスウォブルとして形成された光ディスク記録再生装置において、
記録再生光により走査されるトラックを前記グルーブトラックとするとき、
前記ウォブルを検出してウォブル信号を生成すると共に、前記グルーブトラックに情報の記録を行い、又は前記グルーブトラックに記録された前記情報を再生する光ピックアップと、
前記光ピックアップで生成された前記ウォブル信号の中から前記アドレスウォブルに関するアドレスウォブル信号を検出するアドレスウォブル検出部と、
前記グルーブトラックに記録された情報及び前記グルーブトラックに隣接する前記ランドトラックが未記録か記録済かの記録状態を保存する記録情報保存部と、
前記光ディスクのフォーマットから、直前に得られた補助情報を基に、前記グルーブトラックの次のアドレスウォブルと同位相の前記グルーブトラックに隣接する前記ランドトラックのアドレスを求める隣接アドレス取得部と、
前記隣接アドレス取得部で求められた前記グルーブトラックに隣接する前記ランドトラックのアドレスに対応する前記記録情報保存部に保存されている記録状態の情報を取得する隣接記録状態取得部と、
前記隣接記録状態取得部で取得された前記ランドトラックの記録状態の情報に基づいて、前記アドレスウォブル信号の振幅の中央位置になるように閾値を求める閾値設定部と、
前記アドレスウォブル検出部で検出された前記アドレスウォブル信号を前記閾値設定部で設定された閾値に基づいて、前記アドレスウォブル信号の２値化を行う２値化部と、
前記２値化部で２値化された前記アドレスウォブル信号から前記補助情報を再生するアドレス情報再生部と、
を備えたことを特徴とする光ディスク記録再生装置。
【請求項２】
グルーブトラックとランドトラックが交互に形成され、前記グルーブトラック及び前記ランドトラックの両方に情報の記録又は、記録された情報の再生が可能で、かつ前記グルーブトラック或いは前記ランドトラックの側壁がウォブルされ、このウォブルの一部が補助情報を示すアドレスウォブルとして形成された光ディスク記録再生方法において、
記録再生光により走査されるトラックを前記グルーブトラックとするとき、
光ピックアープを用いて、前記ウォブルを検出してウォブル信号を生成すると共に、前記グルーブトラックに情報の記録を行い、又は前記グルーブトラックに記録された前記情報を再生し、
前記光ピックアップで生成された前記ウォブル信号の中から前記アドレスウォブルに関するアドレスウォブル信号を検出し、
前記グルーブトラックに記録された情報及び前記グルーブトラックに隣接する前記ランドトラックが未記録か記録済かの記録状態を記録情報保存部に保存し、
前記光ディスクのフォーマットから、直前に得られた補助情報を基に、前記グルーブトラックの次のアドレスウォブルと同位相の前記グルーブトラックに隣接する前記ランドトラックのアドレスを求め、
前記求められた前記グルーブトラックに隣接する前記ランドトラックのアドレスに対応する前記記録情報保存部に保存されている記録状態の情報を取得し、
前記取得された前記ランドトラックの記録状態の情報に基づいて、前記アドレスウォブル信号の振幅の中央位置になるように閾値を求め、
前記アドレスウォブル信号を前記閾値に基づいて、前記アドレスウォブル信号の２値化を行い、
前記２値化された前記アドレスウォブル信号から前記補助情報を再生することを特徴とする光ディスク記録再生方法。
【発明の詳細な説明】
【技術分野】
【０００１】
本発明は、ランドトラック及びグルーブトラックの両方に情報を記録する光ディスクの記録再生を行う光ディスク記録再生装置及び光ディスク記録再生方法に関するものである。
【背景技術】
【０００２】
螺旋状或いは同心円状にグルーブトラックとランドトラックが交互に形成された光ディスクへの情報の記録再生を行う光ディスク記録再生装置が特許文献１に記載されている。
【０００３】
この特許文献１には、ランドトラックとグルーブトラックが交互に形成され、ランドトラック及びグルーブトラックのそれぞれの片方の側壁にアドレス情報等の補助情報を付与したアドレスウォブルがトラック方向にずらされて蛇行又は凹凸によって形成され、アドレスウォブルが形成されている以外のそれらの側壁に一定周期の同期用のウォブルが形成されている光ディスクについて記載されている。また、情報は、ランドトラックとグルーブトラックの両方に記録することができ、アドレスウォブルと一定周期のウォブルによりアドレス情報、同期信号等の補助情報を簡単に認識でき、安定した周期クロックを抽出できる光ディスク記録再生装置について記載されている。
【特許文献１】特開２００３−１７８４６４号公報
【発明の開示】
【発明が解決しようとする課題】
【０００４】
しかしながら、各ウォブルから得られるウォブル信号がトレースを行うランドトラック或いはグルーブトラックに隣接するランドトラック或いはグルーブトラックの記録状態による影響を受けやすく、正確な補助情報を得ることができない場合があった。
このことについて、図５及び図６を用いて詳細に説明する。
図５は、ランドトラックとグルーブトラックの記録済領域と未記録領域を示す図である。図５中、斜線部が記録済領域である。
図６は、記録再生レーザ光によりグルーブトラックを記録再生する際に、得られるアドレスウォブル信号とこのアドレスウォブル信号を２値化した２値化信号を示し、（Ａ）は、隣接するランドトラックが記録済領域である場合を示す図であり、（Ｂ）は、隣接するランドトラックが未記録領域である場合を示す図であり、（Ｃ）は、２値化したアドレスウォブル信号の設計値である。
【０００５】
図５に示すように、グルーブトラックＧの片側（内周側）に形成されているウォブル１０１の一部にグルーブトラックＧのアドレス情報を付与したアドレスウォブル１００が形成され、ランドトラックＬに形成されているウォブル１０１の片側の一部にランドトラックＬのアドレス情報を付与したアドレスウォブル１００が形成されている。
この光ディスクのグルーブトラックＧを記録再生レーザ光により走査しながら、グルーブトラックＧの側壁に形成されたアドレスウォブル１００からアドレスウォブル信号を再生する際には、記録再生レーザ光は、このグルーブトラックＧの両側のランドトラックＬに跨るように照射される。
【０００６】
ランドトラックＬ及びグルーブトラックＧには、記録済領域と未記録領域が存在するが、記録再生レーザ光の反射率は、記録済領域の方が未記録領域よりも低い。このため、記録済領域で反射される反射光量は、未記録領域で反射される反  射光量に比較して小さくなる。
図６（Ａ）に示すように、アドレスウォブル１００から得られるアドレスウォブル信号を一定閾値Ｍで２値化した場合には、図６（Ｂ）に示すように、２値化信号は、隣接するランドトラックＬが記録済領域である場合の方が未記録領域である場合に比較して小さくなるため、図６（Ｃ）に示す設計通りの値が得られず、誤検出を生じアドレス情報等の補助情報を正確に得ることができないといった問題があった。このことは、ランドトラックＬを記録再生して、ランドトラックＬの側壁に形成されたアドレスウォブルからアドレスウォブル信号を再生する場合も同様である。
【０００７】
そこで、本発明は、上記のような問題点を解消するためになされたもので、記録再生レーザ光が走査するトラックに隣接するトラックが未記録領域か記録領域かのいかんを問わず安定して正確に補助情報を得ることができる光ディスク記録再生装置及びその記録再生方法を提供することを目的とする。
【課題を解決するための手段】
【０００８】
本願発明における第１の発明は、グルーブトラックとランドトラックが交互に形成され、前記グルーブトラック及び前記ランドトラックの両方に情報の記録又は、記録された情報の再生が可能で、かつ前記グルーブトラック或いは前記ランドトラックの側壁がウォブルされ、このウォブルの一部が補助情報を示すアドレスウォブルとして形成された光ディスク記録再生装置において、記録再生光により走査されるトラックを前記グルーブトラックとするとき、前記ウォブルを検出してウォブル信号を生成すると共に、前記グルーブトラックに情報の記録を行い、又は前記グルーブトラックに記録された前記情報を再生する光ピックアップと、前記光ピックアップで生成された前記ウォブル信号の中から前記アドレスウォブルに関するアドレスウォブル信号を検出するアドレスウォブル検出部と、前記グルーブトラックに記録された情報及び前記グルーブトラックに隣接する前記ランドトラックが未記録か記録済かの記録状態を保存する記録情報保存部と、前記光ディスクのフォーマットから、直前に得られた補助情報を基に、前記グルーブトラックの次のアドレスウォブルと同位相の前記グルーブトラックに隣接する前記ランドトラックのアドレスを求める隣接アドレス取得部と、前記隣接アドレス取得部で求められた前記グルーブトラックに隣接する前記ランドトラックのアドレスに対応する前記記録情報保存部に保存されている記録状態の情報を取得する隣接記録状態取得部と、前記隣接記録状態取得部で取得された前記ランドトラックの記録状態の情報に基づいて、前記アドレスウォブル信号の振幅の中央位置になるように閾値を求める閾値設定部と、前記アドレスウォブル検出部で検出された前記アドレスウォブル信号を前記閾値設定部で設定された閾値に基づいて、前記アドレスウォブル信号の２値化を行う２値化部と、前記２値化部で２値化された前記アドレスウォブル信号から前記補助情報を再生するアドレス情報再生部と、を備えたことを特徴とする光ディスク記録再生装置を提供する。
第２の発明は、グルーブトラックとランドトラックが交互に形成され、前記グルーブトラック及び前記ランドトラックの両方に情報の記録又は、記録された情報の再生が可能で、かつ前記グルーブトラック或いは前記ランドトラックの側壁がウォブルされ、このウォブルの一部が補助情報を示すアドレスウォブルとして形成された光ディスク記録再生方法において、記録再生光により走査されるトラックを前記グルーブトラックとするとき、光ピックアープを用いて、前記ウォブルを検出してウォブル信号を生成すると共に、前記グルーブトラックに情報の記録を行い、又は前記グルーブトラックに記録された前記情報を再生し、前記光ピックアップで生成された前記ウォブル信号の中から前記アドレスウォブルに関するアドレスウォブル信号を検出し、前記グルーブトラックに記録された情報及び前記グルーブトラックに隣接する前記ランドトラックが未記録か記録済かの記録状態を記録情報保存部に保存し、前記光ディスクのフォーマットから、直前に得られた補助情報を基に、前記グルーブトラックの次のアドレスウォブルと同位相の前記グルーブトラックに隣接する前記ランドトラックのアドレスを求め、前記求められた前記グルーブトラックに隣接する前記ランドトラックのアドレスに対応する前記記録情報保存部に保存されている記録状態の情報を取得し、前記取得された前記ランドトラックの記録状態の情報に基づいて、前記アドレスウォブル信号の振幅の中央位置になるように閾値を求め、前記アドレスウォブル信号を前記閾値に基づいて、前記アドレスウォブル信号の２値化を行い、前記２値化された前記アドレスウォブル信号から前記補助情報を再生することを特徴とする光ディスク記録再生方法を提供する。
【発明の効果】
【０００９】
本願発明によれば、アドレスウォブル検出部で検出されるアドレスウォブル信号の振幅の中央となる値にする閾値設定部を有しているので、記録再生レーザ光が走査するトラックに隣接するトラックが未記録領域か記録領域かのいかんを問わず安定して正確に補助情報を得ることができる。
【発明を実施するための最良の形態】
【００１０】
以下に本発明の実施の形態に係る光ディスク記録再生装置について図１乃至図４を用いて説明する。
図１は、本発明の実施の形態における光ディスク記録再生装置を示す図である。
図２は、光ディスクのグルーブトラック及びランドトラックを拡大した図である。
図３は、光ディスク記録再生方法を示すフローチャートである。
図４は、アドレスウォブル信号の２値化を説明するための図である。
【００１１】
以下では、記録再生するトラックは、グルーブトラックＧとし、補助情報を検出する回路以外のレーザ駆動回路や記録パルス生成回路等についての記載は省略する。
図２に示すように、光ディスクＤのグルーブトラックＧ或いはランドトラックＬの片側には、ウォブルＷ1が形成され、このウォブルＷ1の一部には、アドレスウォブルＷ2が形成されている。
図１及び図２に示すように、光ディスク記録再生装置１は、記録再生用のレーザ光を出射するレーザ素子（不図示）及び光ディスクＤで反射された記録再生レーザ光を検出する光検出器（不図示）を内蔵し、グルーブトラックＧ及びランドトラックＬの片側に形成されているウォブルＷ1を検出してウォブル信号を生成すると共に、グルーブトラックＧに情報を記録し、又はグルーブトラックＧに記録されている情報を再生する光ピックアップ２と、光ピックアップ２で生成されたウォブル信号の中からアドレスウォブルＷ2に関するアドレスウォブル信号を検出するアドレスウォブル検出部３と、グルーブトラックＧに沿って記録再生レーザ光を走査した際に、光ピックアップ２で再生された情報を最小単位（ＥＣＣブロック）で保存すると共にランドトラックＬが未記録か記録済かの記録状態（反射光量）を保存する記録情報保存部４と、光ディスクのフォーマットに基づいて、アドレス情報再生部９により得られた直前の補助情報と後述する隣接記録状態取得部６で得られた記録情報とから、グルーブトラックＧのアドレスウォブルの次のアドレスウォブルと同位相のグルーブトラックＧの両側に隣接するランドトラックＬのアドレスを取得する隣接アドレス取得部５と、隣接アドレス取得部５で取得されたグルーブトラックＧの両側に隣接するランドトラックＬのアドレスに対応して記録情報保存部４に保存されているランドトラックＬの記録状態の情報を取得する隣接記録状態取得部６と、隣接記録状態取得部６で取得されたランドトラックＬの記録状態の情報に基づいて、アドレスウォブル信号を２値化するための閾値を求める閾値設定部７とから構成されている。
【００１２】
更に、光ディスク記録再生装置１は、アドレスウォブル検出部３で生成されたアドレスウォブル信号を閾値設定部７で設定された閾値Ｍに基づいて、アドレスウォブル信号の２値化を行う２値化部８と、２値化部８で２値化されたアドレスウォブル信号からアドレス情報等の補助情報を再生するアドレス情報再生部９と、アドレス情報再生部９で再生されたアドレス情報等の補助情報に基づいて、記録再生処理を行う制御部１０とから構成されている。
【００１３】
次に、その動作について図１及び図２に図３及び図４を併せ用いて説明する。
図３に示すように、光ピップアップ２に内蔵されているレーザ素子（不図示）から記録再生用レーザ光を出射し、グルーブトラックＧを中心にして、これに隣接するランドトラックＬに跨るように照射する。
グルーブトラックＧ及びランドトラックＬで反射された反射光を光ピックアップ２内の光検出器（不図示）で光電変換して、グルーブトラックＧのウォブルＷ1を検出してウォブル信号を生成すると共に、グルーブトラックＧに記録されている情報の再生又はグルーブトラックＧに記録を行う（ステップ１）。
【００１４】
再生されたウォブル信号の中からアドレスウォブル検出部３でアドレスウォブル信号を検出し（ステップ２）、２値化部８に出力する。
一方、記録情報保存部４では、光ピックアップ２により再生されたグルーブトラックＧに記録された情報と共に、ランドトラックＬが記録済か未記録かを示す記録状態をビットマップで保存する。ランドトラックＬが記録済か未記録かを示す記録状態は、光ディスクＤの管理データ保存領域にも保存され、光ディスクＤをロードした時に読み込まれるようにしても良い。１つのビットは、例えばＥＣＣブロックで表す。
【００１５】
隣接記録状態取得部６では、隣接アドレス取得部５で求められたランドトラックＬのアドレスに対応して記録情報保存部４に保存されている記録状態からランドトラックＬの情報を取得して（ステップ３）、この情報を閾値設定部７に出力する。
閾値設定部７では、隣接記録状態取得部６で取得されたグルーブトラックＧに隣接するランドトラックＬの記録状態の情報により最適な閾値を選択し（ステップ４）、２値化部８に出力する。
【００１６】
閾値設定部７で選択される閾値は、アドレスウォブル検出部３で検出されるアドレスウォブル信号の振幅の中央となる値にする。
図４（Ａ）に示すように、この閾値は、アドレスウォブル信号のレベルによって変化する。このアドレスウォブル信号のレベルは、グルーブトラックＧとこれに隣接するランドトラックＬの記録状態の組み合わせによって決まるが、アドレスウォブル信号とグルーブトラックＧに隣接するランドトラックＬの記録状態の情報との関係を求め、この関係を予めデータテーブルに設定しておき、このデータテーブルを用いて閾値を決めるようにすることができる。また、このデータテーブルの代わりに、光ディスクＤの管理データ保存領域に上記した関係を記録しておき、光ディスクＤをロードした時にこの管理データ保存領域に保存されている上記した関係を図示しない記憶部に保存しておき、この図示しない記憶部から読み出して用いるようにしても良い。
【００１７】
２値化部８では、アドレスウォブル検出部３で検出されたアドレスウォブル信号を閾値設定部７で設定された閾値に基づいて、アドレスウォブル信号の２値化を行う（ステップ５）。図４（Ｂ）に示すように、２値化されたアドレスウォブル信号は、レベルが異なる場合でも図４（Ｃ）に示す設計値通りの値が得られる。
【００１８】
また、アドレス情報再生部９では、２値化部８で２値化されたアドレスウォブル信号からアドレス情報等の補助情報を再生する（ステップ６）。
隣接アドレス取得部５では、光ディスクのフォーマットに基づいて、アドレス情報再生部９により得られた直前の補助情報と隣接記録状態取得部６で得られた情報とから、グルーブトラックＧのアドレスウォブルの次のアドレスウォブルと同位相のグルーブトラックＧの両側に隣接するランドトラックＬのアドレスを取得する。
制御部１０で、アドレス情報再生部９で再生された補助情報と隣接アドレス取得部５で取得されたランドトラックＬのアドレスとに基づいて、情報の処理を行うことによって記録再生を行うことができる。
【００１９】
以上のように、本発明の実施の形態の光ディスク記録再生装置１は、アドレスウォブル検出部３で検出されるアドレスウォブル信号の振幅の中央となる値にする閾値設定部７を有しているので、記録再生レーザ光が走査するグルーブトラックＧに隣接するランドトラックＬが未記録領域か記録領域かのいかんを問わず安定して正確に補助情報を得ることができる。
なお、本発明の実施の形態では、記録再生するトラックをグルーブトラックにしたが、記録再生するトラックをランドトラックにした場合も同様である。
【図面の簡単な説明】
【００２０】
【図１】本発明の実施の形態における光ディスク記録再生装置を示す図である。
【図２】光ディスクのグルーブトラック及びランドトラックを拡大した図である。
【図３】光ディスク記録再生方法を示すフローチャートである。
【図４】アドレスウォブル信号の２値化を説明するための図である。
【図５】ランドトラックとグルーブトラックの記録済領域と未記録領域を示す図である。
【図６】記録再生レーザ光によりグルーブトラックのアドレスウォブルを記録再生する際に、得られるアドレスウォブル信号とこのアドレスウォブル信号を２値化した２値化信号を示す図である。
【符号の説明】
【００２１】
１…光ディスク記録再生装置、２…光ピックアップ、３…アドレスウォブル検出部、４…記録情報保存部、５…隣接アドレス取得部、６…隣接記録状態取得部、７…閾値設定部、８…２値化設定部、９…アドレス情報再生部、１０…制御部
【図１】
2008010091.tif 000003
【図２】
2008010091.tif 000004
【図３】
2008010091.tif 000005
【図４】
2008010091.tif 000006
【図５】
2008010091.tif 000007
【図６】
2008010091.tif 000008